(57)【要約】【課題】シャッターチャンスを得ることが難しかった被写体に対して撮影装置に視線を向けさせる上で有利な撮像装置用リングライトを提供する。【解決手段】撮像装置用リングライト１０は、デジタルスチルカメラ１００に着脱可能に取着される環状のケース１２、ケース１２に設けられリング状のアレイをなすように配列された複数の発光素子１４、複数の発光素子１４の発光を制御する制御装置１６などを備えている。制御装置１６の制御により照明装置１２の複数の発光素子１４を一斉発光パターンあるいは選択発光パターンで発光することで、被写体に対してケース１２の前面１２０８における点灯した部分あるいは滅灯した部分をあたかも動いているように(回転しているように)見せる。【選択図】        図３
2006184450.tif 000002
【特許請求の範囲】
【請求項１】
撮像装置に着脱可能に取着されるケースと、
前記ケースの前面にリング状のアレイを成すように配列されそれぞれ前方に向けて光を照射する複数の発光素子と、
前記複数の発光素子の発光動作を制御する制御装置とを備え、
前記制御装置は、前記複数の発光素子を個別に制御することが可能に構成され、且つ、前記複数の発光素子を少なくとも２つの発光パターンで発光させることができるように構成されている、
ことを特徴とする撮像装置用リングライト。
【請求項２】
前記少なくとも２つの発光パターンが、前記複数の発光素子の全てを同時に発光させる一斉発光パターンと、前記複数の発光素子のうちから選択した一部の発光素子だけを発光させる選択発光パターンとを含むことを特徴とする請求項１記載の撮像装置用リングライト。
【請求項３】
前記選択発光パターンが、前記複数の発光素子を発光時刻を異ならせて発光させる動的発光パターンを含むことを特徴とする請求項１記載の撮像装置用リングライト。
【請求項４】
前記動的発光パターンが、発光させる発光素子を周方向に次々とずらして行く発光パターンであることを特徴とする請求項３記載の撮像装置用リングライト。
【請求項５】
前記動的発光パターンが、発光させる発光素子を周方向に次々とずらし、かつ、発光させる発光素子の１周毎に前記発光させる発光素子の数を増減していく発光パターンであることを特徴とする請求項３記載の撮像装置用リングライト。
【請求項６】
前記ケースは環状を呈し、撮影光学系が収容された鏡筒の半径方向外側で前記鏡筒と同軸上に着脱可能に取着されることを特徴とする請求項１記載の撮像装置用リングライト。
【請求項７】
前記複数の発光素子は、単一の円周上に配列されていることを特徴とする請求項１記載の撮像装置用リングライト。
【請求項８】
前記複数の発光素子は、互いに同心で半径の異なる複数の円周上に配列されていることを特徴とする請求項１記載の撮像装置用リングライト。
【請求項９】
前記少なくとも２つの発光パターンが、前記複数の発光素子の全てを同時に発光させる一斉発光パターンと、前記複数の発光素子のうちから選択した一部の発光素子だけを発光させる選択発光パターンとを含み、前記制御装置により前記一斉発光パターンが最後に実行されることを特徴とする請求項１記載の撮像装置用リングライト。
【発明の詳細な説明】
【技術分野】
【０００１】
本発明は撮像装置用リングライトに関する。
【背景技術】
【０００２】
撮像装置に着脱可能に取着される環状のケースと、このケースの前面で周方向に間隔をおいた複数箇所にそれぞれ前方に向けて光を照射するように設けられた複数の発光素子とを有し、デジタルスチルカメラやフィルム式カメラなどの撮像装置に着脱可能に装着されるリングライトと称される照明装置がある（特許文献１、２参照）。
【特許文献１】特開２００２−９９０４２号公報
【特許文献２】特開２００３−１７７４５４号公報
【発明の開示】
【発明が解決しようとする課題】
【０００３】
この種の従来のリングライトは、複数の発光素子の全てを同時に発光させるものであった。
ところで、乳児や幼児などの被写体を撮像装置で撮影する際、撮像装置の方向に視線を向かせることが容易ではなく、シャッターチャンスを得ることが難しかった。
本発明は、上述した照明装置に複数の発光素子が設けられていることに着目してなされたものであり、その目的は、シャッターチャンスを得ることが難しかった被写体に対して撮影装置に視線を向けさせる上で有利な撮像装置用リングライトを提供することにある。
【課題を解決するための手段】
【０００４】
上述の目的を達成するため、本発明の撮像装置用リングライトは、撮像装置に着脱可能に取着されるケースと、前記ケースの前面にリング状のアレイを成すように配列されそれぞれ前方に向けて光を照射する複数の発光素子と、前記複数の発光素子の発光動作を制御する制御装置とを備え、前記制御装置は、前記複数の発光素子を個別に制御することが可能に構成され、且つ、前記複数の発光素子を少なくとも２つの発光パターンで発光させることができるように構成されていることを特徴とする。
【発明の効果】
【０００５】
制御装置によって複数の発光素子が少なくとも２つの発光パターンで発光されるので、乳児や幼児などが被写体であった場合には、撮像装置用リングライトに興味を持たせて撮像装置の方向に視線を向かせることが自然にでき、シャッターチャンスを得ることが容易となる。
【発明を実施するための最良の形態】
【０００６】
リングライトに備えられた複数の発光素子を少なくとも２つの発光パターンで発光させることによって上記目的を実現した。
【実施例１】
【０００７】
次に本発明の実施例１について図面を参照して説明する。
図１は実施例１の撮像装置用リングライトの構成を示す斜視図、図２は撮像装置用リングライトの撮像装置に対する取付け説明図、図３は撮像装置用リングライトが撮像装置に装着された状態を示す斜視図である。
図４は撮像装置用リングライトの制御系の構成を示すブロック図である。
図５は撮像装置用リングライトの動作を説明するタイムチャートである。
図６は各発光素子の説明図である。
図７（Ａ）〜（Ｄ）、図８（Ｅ）、（Ｆ）は撮像装置用リングライト１０の動作説明図である。
【０００８】
まず、本発明にかかる撮像装置用リングライト１０が装着される撮像装置について説明する。
図２に示すように、本実施例では撮像装置はデジタルスチルカメラ１００である。
デジタルスチルカメラ１００は、外装を構成するケース本体１０２と、ケース本体１０２の前部に組み込まれた鏡筒１０４と、鏡筒１０４に収容された撮影光学系と、ケース本体１０２に組み込まれ前記撮影光学系によって導かれた被写体像を撮像する撮像素子（不図示）と、この撮像素子で撮像された画像を視認するためのビューファインダー（不図示）あるいはディスプレイ（不図示）と、ケース本体１０２が上面に臨む箇所に設けられたアクセサリー装着用のカメラ側コネクタ１０６と、シャッターボタン１０８などの操作部材を備えている。
本実施例では、シャッターボタン１０８が半押しされると、前記撮影光学系によって自動焦点調整動作がなされ、シャッターボタン１０８が全押しされると、シャッターが切られて前記撮像素子による撮像動作が行われるように構成されている。
また、シャッターボタン１０８が半押しされることに伴い第１の制御信号がカメラ側コネクタ１０６から出力され、シャッターボタン１０８が全押しされることに伴い第２の制御信号がカメラ側コネクタ１０６から出力されるように構成されている。
カメラ側コネクタ１０６は、フラッシュライトなどのアクセサリー装置に設けられたアクセサリー側コネクタが装脱可能に装着されるものであり、カメラ側コネクタ１０６にアクセサリー側コネクタが装着された状態で、デジタルスチルカメラ１００とアクセサリーとの間で電源の供給あるいは電気信号の伝達がなされるように構成されている。
なお、本明細書において左右は、デジタルスチルカメラ１００を前方から見た状態でいうものとし、また、撮影光学系の光軸方向で被写体側を前方といい、撮像素子側を後方という。
【０００９】
次に、撮像装置用リングライト１０について説明する。
図１、図３に示すように、撮像装置用リングライト１０は、デジタルスチルカメラ１００に着脱可能に取着される環状のケース１２、ケース１２に設けられた複数の発光素子１４、複数の発光素子１４の発光動作を制御する制御装置１６（図４）などを備えている。なお、説明の都合上、図３はケース１２の一部が切り欠かれた状態で示されている。
環状のケース１２は、鏡筒１０４の前端に露出する撮影光学系（対物レンズ）の直径よりも大きな内径で形成されており、環状のケース１２は、環板状の後面１２０２と、後面１２０２の内周および外周からそれぞれ起立された円筒面状の内周面１２０４および外周面１２０６と、内周面１２０４と外周面１２０６の前端を接続し光を透過する材料で構成された環板状の前面１２０８とを有している。
環状のケース１２は、後述するようにアダプタレンズ１１０およびアダプタリング１１２を介して鏡筒１０４の前端に鏡筒１０４と同軸上に装着される。
内周面１２０４には、周方向に間隔をおいた複数箇所に係合爪１２１０が出没可能に設けられ、各係合爪１２１０は突出する方向に常時付勢されている。
外周面１２０６には、各係合爪１２１０を没入する方向に動かすための操作片１２１２が突設され、操作片１２１２が環状のケース１２の半径方向内側に押し込まれることで各係合片１２１０が環状のケース１２の内部に没入し、操作片１２１２から手を離すと各係合爪１２１０は内周面１２０４から半径方向内側に突出するように構成されている。
【００１０】
ケース１２のデジタルスチルカメラ１００への装着は次のようになされる。
図２に示すように、デジタルスチルカメラ１００の鏡筒１０４の前端に、アダプタレンズ１１０およびアダプタリング１１２が装着される。
すなわち、鏡筒１０４の前端に形成された雄ねじ部にアダプタレンズ１１０の雌ねじ部が螺合され、アダプタレンズ１１０の前端の外周面にアダプタリング１１２の内周面が嵌合される。
アダプタリング１１２の外周面には溝部１１２Ａが形成されている。
ケース１２の後面１２０２をデジタルスチルカメラ１００の前面に臨ませ、ケース１２の操作片１２１２を押し込んで各係合爪１２１０を没入させ、ケース１２の内周面１２０４の内側にアダプタリング１１２を挿入する。そして、各係合爪１２１０と溝部１１２Ａとが一致したならば、操作片１２１２の押圧を解除する。
これにより、各係合爪１２１０が溝部１１２Ａに係合し、図３に示すように、ケース１２がアダプタリング１１２およびアダプタレンズ１１０を介して鏡筒１０４と同軸上で鏡筒１０４の外側に装着される。
【００１１】
図３に示すように、複数の発光素子１４は本実施例では白色ＬＥＤで構成され、ケース１２の内部において、ケース１２の前面１２０８にリング状のアレイをなすように配列され、詳細には、周方向に間隔をおいた複数箇所にそれぞれ前方に向けて光を照射するように設けられている。
本実施例では、図６に示すように、合計１２個の発光素子１４がケース１２の中心を中心とした単一の直径の円周上に等間隔をおいて配置されている。
図６において符号Ｄ１〜Ｄ１２は、ケース１２の前方から各発光素子１４を見たときにこれら発光素子１４を識別するために時計回りに順番に付した符号である。
【００１２】
図３に示すように、撮像装置用リングライト１０は、デジタルスチルカメラ１００のカメラ側コネクタ１０６に装脱可能に装着される操作ユニット２０を有している。
操作ユニット２０は、操作ユニットケース２２と、操作ユニットケース２２に設けられカメラ側コネクタ１０６に装脱可能に装着されるアクセサリー側コネクタ２４と、操作ユニットケース２２とケース１２にわたって設けられたケーブル２６とを有している。
ケーブル２６は、操作ユニット２０から各発光素子１４に電気信号（駆動電流）を供給するためのものである。
【００１３】
図４に示すように、操作ユニット２０は、電池２００２、レギュレータ２００４、ＤＣ／ＤＣコンバータ２００６、電源スイッチ２００８、操作部２０１０、スイッチング部２０１２、マイクロコンピュータ２０１４などを有している。
電池２００２から供給される電源は、電源スイッチ２００８を介してレギュレータ２００４とＤＣ／ＤＣコンバータ２００６に供給されるように構成されている。
レギュレータ２００４によって安定化された電源はマイクロコンピュータ２０１４に供給され、ＤＣ／ＤＣコンバータ２００６によって昇圧された電源はスイッチング部２０１２を介して各発光素子１４に供給されるように構成されている。
図１に示すように、操作部２０１０は、操作ユニットケース２２の外面に設けられた電源オンオフ用の電源キー２０１１Ａと、第１、第２の動作モードの切り換え設定を行うモード切り換えキー２０１１Ｂとを有している。
操作部２０１０は、電源キー２０１１Ａの操作に基づいて電源スイッチ２００８のオンオフを行うとともに、モード切り換えキー２０１１の操作に基づいてマイクロコンピュータ２０１４に対して後述する発光パターンの切り換えを指令する指令信号を与えるように構成されている。
マイクロコンピュータ２０１４は所定の制御プログラムを実行することにより、操作部２０１０から入力される指令信号と、アクセサリー側コネクタ２４およびカメラ側コネクタ１０６を介してデジタルスチルカメラ１００から入力される前述した第１、第２の制御信号とに基づいてスイッチング部２０１２の動作を制御するように構成されている。
スイッチング部２０１２は、マイクロコンピュータ２０１４の制御に基づいて、ＤＣ／ＤＣコンバータ２００６から供給される電源の各発光素子１４への供給のオン、オフを各発光素子１４毎に切り換えることができるように構成されている。
本実施例では、制御装置１６は、スイッチング部２０１２およびマイクロコンピュータ２０１４によって構成されている。
【００１４】
次に作用について図４、図５、図７、図８を参照して説明する。なお、図７、図８において、点灯している発光素子１４にはハッチングを施さず、滅灯している発光素子１４にハッチングを施すことによって表示する。
予め、デジタルスチルカメラ１００の鏡筒１０４には撮像装置用リングライト１０のケース１２が装着され、カメラ側コネクタ１０６には撮像装置用リングライト１０のアクセサリー側コネクタ２４が装着され電気的に接続されているものとする。
操作ユニット２０の電源キー２０１１Ａがオンされることで電源スイッチ２００８がオンされ電源が投入される。
モード切り換えキー２０１１Ｂが第１の動作モードに設定された場合には、マイクロコンピュータ２０１４は、発光素子１４のうち全ての発光素子Ｄ１〜Ｄ１２に対して同時に駆動電流が供給されるようにスイッチング部２０１２を制御する。
これにより、発光素子１４は、全ての発光素子Ｄ１〜Ｄ１２が同時に発光する一斉発光パターンで発光され、デジタルスチルカメラ１００の前方の被写体に対して満遍なく照明光が照射される。
この状態で、シャッターボタン１０８を押すとシャッターが切られて撮像動作が実行される。
【００１５】
また、モード切り換えキー２０１１Ｂが第２の動作モードに設定された場合には、マイクロコンピュータ２０１４は、スイッチング部２０１２を制御して次のような制御を行う。
図５においてＱ１〜Ｑ１２はそれぞれ発光素子Ｄ１〜Ｄ１２に対してスイッチング部２０１２から供給される駆動信号を示しており、各波形におけるＨレベルは駆動信号が供給されているオン状態を示し、Ｌレベルは駆動信号が供給されていないオフ状態を示している。
すなわち、ユーザがデジタルスチルカメラ１００の鏡筒１０４を乳児や幼児などの被写体に向けた状態で、シャッターボタン１０８を半押しする。
すると、前記第１の制御信号がデジタルスチルカメラ１００からマイクロコンピュータ２０１４に供給される。
これにより、図５の期間Ｔ１において、マイクロコンピュータ２０１４は、全ての駆動信号Ｑ１〜Ｑ１２の全てをオフ状態とする。
これにより、図７（Ａ）に示すように、全ての発光素子Ｄ１〜Ｄ１２が滅灯する。
次いで、図５の期間Ｔ２において、マイクロコンピュータ２０１４は、全ての駆動信号Ｑ１〜Ｑ１２の全てをオン状態とする。
これにより、図７（Ｂ）に示すように、全ての発光素子Ｄ１〜Ｄ１２が点灯する。
【００１６】
次に、図５の期間Ｔ３において、マイクロコンピュータ２０１４は、所定期間、３つの駆動信号Ｑ１、Ｑ４、Ｑ７、Ｑ１０をオフ状態とし残りの駆動信号を全てオン状態とする。
これにより図７（Ｃ）に示すように発光素子Ｄ１、Ｄ４、Ｄ７、Ｄ１０が滅灯し、残りの発光素子Ｄ２、Ｄ３、Ｄ５、Ｄ６、Ｄ８、Ｄ９、Ｄ１１、Ｄ１２が点灯する。すなわち、複数の発光素子１４のうちから選択した一部の発光素子１４だけを発光させる選択発光パターンで発光される。
次いで、マイクロコンピュータ１４は、所定期間、３つの駆動信号Ｑ２、Ｑ５、Ｑ８、Ｑ１１をオフ状態とし残りの駆動信号を全てオン状態とする。
これにより図７（Ｄ）に示すように発光素子Ｄ２、Ｄ５、Ｄ８、Ｄ１１が滅灯し、残りの発光素子Ｄ１、Ｄ３、Ｄ４、Ｄ６、Ｄ７、Ｄ１０、Ｄ１１、Ｄ１２が点灯する。すなわち、複数の発光素子１４のうちから選択した一部の発光素子１４だけを発光させる選択発光パターンで発光される。
次いで、マイクロコンピュータ１４は、所定期間、３つの駆動信号Ｑ３、Ｑ６、Ｑ９、Ｑ１２をオフ状態とし残りの駆動信号を全てオン状態とする。
これにより図８（Ｅ）に示すように発光素子Ｄ３、Ｄ６、Ｄ９、Ｄ１２が滅灯し、残りの発光素子Ｄ１、Ｄ２、Ｄ４、Ｄ５、Ｄ７、Ｄ８、Ｄ１０、Ｄ１１が点灯する。すなわち、複数の発光素子１４のうちから選択した一部の発光素子１４だけを発光させる選択発光パターンで発光される。
このような選択発光パターンによる発光を繰り返して行うと、被写体側から見てケース１２の前面１２０８の部分の点灯している部分（８個の発光素子１４）あるいは滅灯している部分（残り４個の発光素子１４）が回転しているように見えることになる。
すなわち、このような選択発光パターンは、複数の発光素子１４を発光時刻を異ならせて発光させる動的発光パターンを含んでいる。
言い換えると、この動的発光パターンは発光させる発光素子１４を周方向に次々とずらして行く発光パターンである。
そして、ユーザがデジタルスチルカメラ１００のシャッターボタン１０８を全押しすると、前記第２の制御信号を受け取ったマイクロコンピュータ２０１４は、図５の期間Ｔ４において、マイクロコンピュータ２０１４は、全ての駆動信号Ｑ１〜Ｑ１２の全てをオン状態とし、前記一斉発光パターンで発光素子１４を発光させる。
これにより、図８（Ｆ）に示すように、全ての発光素子Ｄ１〜Ｄ１２が点灯し、被写体に対して照明光が照射された状態で、デジタルスチルカメラ１００のシャッターが切られ撮像動作が行われる。
【００１７】
本実施例によれば、従来と同様に複数の発光素子１４を一斉発光パターンで発光させることにより、被写体に十分な光量の照射光を照射させた状態で撮影を行うことができることは無論のこと、乳児や幼児などが被写体であった場合には、選択発光パターンを実行させることで撮像装置用リングライト１０に興味を持たせてデジタルスチルカメラ１００の方向に視線を向かせることが自然にでき、シャッターチャンスを得ることが容易となる。
また、本実施例では、複数の発光素子１４を動的発光パターンで発光させることにより、被写体に対してケース１２の前面１２０８における点灯した部分あるいは滅灯した部分をあたかも動いているように(回転しているように)見せることが可能となり、乳児や幼児などの被写体により強い興味を持たせることができ、シャッターチャンスを得ることがさらに容易となる。
また、被写体が撮像装置用リングライト１０の各発光素子１４を見つめることで、被写体の眼球における虹彩（瞳孔）を閉じる方向に変化させることができ、赤眼現象を抑制する上で有利となる。
なお、赤眼現象とは撮影時にフラッシュライトなどを被写体に照射した場合に、被写体の瞳孔から入った照明光が眼球内の毛細血管で反射されることで瞳孔部分が赤く撮影されてしまうことをいう。
従来、このような赤眼現象を防止するためには、撮像動作が行われる直前にフラッシュライトを軽く発光させることで、瞳孔を閉じる方向に変化させておき、その後でフラッシュライトを発光させて撮像動作を行わせているが、本実施例においてもこれと同様の効果を得ることができる。
【実施例２】
【００１８】
次に実施例２について説明する。
実施例２が実施例１と異なるのは、撮像装置用リングライト１０の各発光素子１４の発光動作の態様である。
図９（Ａ）〜（Ｄ）は実施例２における撮像装置用リングライト１０の動作説明図である。
まず、図９（Ａ）に示すように、全ての発光素子１４を滅灯させておく。
次いで、図９（Ｂ）に示すように、１２０度の間隔をおいた３個の発光素子１４を点灯させるとともに残りの９個の発光素子１４を滅灯した状態で、実施例１と同様の動的発光パターンで発光素子１４を発光させる。
これにより、被写体側から見てケース１２の前面１２０８の部分の点灯している部分（３個の発光素子１４）あるいは滅灯している部分（９個の発光素子１４）が回転しているように見えることになる。
次に、図９（Ｃ）に示すように、点灯する発光素子１４の数を３個から６個に増やすとともに、滅灯する発光素子１４の数を９個から６個に減らし、実施例１と同様の動的発光パターンで発光素子１４を発光させる。
これにより、被写体側から見てケース１２の前面１２０８の部分の点灯している部分（６個の発光素子１４）あるいは滅灯している部分（６個の発光素子１４）が回転しているように見えることになる。
さらに、図９（Ｄ）に示すように、点灯する発光素子１４の数を６個から９個に増やすとともに、滅灯する発光素子１４の数を６個から３個に減らし、実施例１と同様の動的発光パターンで発光素子１４を発光させる。
これにより、被写体側から見てケース１２の前面１２０８の部分の点灯している部分（９個の発光素子１４）あるいは滅灯している部分（３個の発光素子１４）が回転しているように見えることになる。
すなわち、実施例１と同様の動的発光パターンによって発光素子１４を発光させるとともに、この動的発光パターンが、発光させる発光素子１４を周方向に次々とずらし、かつ、発光させる発光素子１４の１周毎に発光させる発光素子１４の数を増減していく発光パターンとなっている。
最後に、１２個全ての発光素子１４を一斉発光パターンで発光させ、被写体に対して照明光が照射された状態とする。
【００１９】
実施例２においても実施例１と同様の効果を得ることができることは無論のこと、被写体側から見てケース１２の前面１２０８の部分の点灯している部分あるいは滅灯している部分の動きに加えて、点灯している部分あるいは滅灯している部分の面積をそれぞれ増加させたり、減少させたりするので、ケース１２の前面１２０８の部分における点滅の変化が多彩となり被写体に対してより面白みを与え視線を引きつけることができる。
【００２０】
なお、実施例では、複数の発光素子１４が環状のケース１２の中心を中心とした単一の直径の円周上に配置されている場合について説明したが、複数の発光素子１４が環状のケース１２の中心を中心とした直径の異なる２つ以上の円周上にそれぞれ配置されていてもよいことはもちろんである。
このように複数の発光素子１４が環状のケース１２の中心を中心とした直径の異なる２つ以上の円周上にそれぞれ配置されている場合には、これら複数の発光素子１４の点滅を制御装置１６によって制御することで、例えば、星の形状や縞模様などの簡単な絵柄、マークあるいは記号などを表示させることが可能となり、これら絵柄、マークあるいは記号を点滅あるいは回転させることができ、ケース１２の前面１２０８の部分における点滅の変化がさらに多彩となり被写体に対してより面白みを与え視線を引きつけることが可能となる。
【００２１】
なお、複数の発光素子１４の発光パターンは実施例１，２で示した発光パターンに限定されるものではなく、従来公知の様々な発光パターンが採用可能である。
また、実施例では、撮像装置用リングライト１０が取着される撮像装置がデジタルスチルカメラである場合について説明したが、本発明の照明装置が取着される撮像装置はこれに限定されるものではなく、種々の電子機器、例えばカメラ付パーソナルデジタルアスタント（ＰＤＡ）、カメラ付携帯電話機、あるいは種々の撮像装置、例えばデジタルスチルカメラなどであってもよいことはもちろんである。
【図面の簡単な説明】
【００２２】
【図１】実施例１の撮像装置用リングライトの構成を示す斜視図である。
【図２】撮像装置用リングライトの撮像装置に対する取付け説明図である。
【図３】撮像装置用リングライトが撮像装置に装着された状態を示す斜視図である。
【図４】撮像装置用リングライトの制御系の構成を示すブロック図である。
【図５】撮像装置用リングライトの動作を説明するタイムチャートである。
【図６】各発光素子の説明図である。
【図７】（Ａ）〜（Ｄ）は撮像装置用リングライト１０の動作説明図である。
【図８】（Ｅ）、（Ｆ）は撮像装置用リングライト１０の動作説明図である。
【図９】（Ａ）〜（Ｄ）は実施例２における撮像装置用リングライト１０の動作説明図である。
【符号の説明】
【００２３】
１００……デジタルスチルカメラ、１０……照明装置、１２……環状のケース、１４……発光素子、２０１２……スイッチング部、２０１４……マイクロコンピュータ。
【図１】
2006184450.tif 000003
【図２】
2006184450.tif 000004
【図３】
2006184450.tif 000005
【図４】
2006184450.tif 000006
【図５】
2006184450.tif 000007
【図６】
2006184450.tif 000008
【図７】
2006184450.tif 000009
【図８】
2006184450.tif 000010
【図９】
2006184450.tif 000011